(57)【要約】【課題】光出力を向上させることができ、かつ薄型化された照明器具を提供する。【解決手段】照明器具１は、カバー２ｂを有し、密閉されたランプ収容部２と、ランプ収容部２に隣接して配置された点灯回路収容部３と、互いの間隔が３０ｍｍ以下になるようにそれぞれ配置された複数の直管部４ａを有し、ランプ収容部２内に収容された冷陰極蛍光ランプ４と、点灯回路収容部３内に収容され、冷陰極蛍光ランプ４を点灯させる点灯回路６とを備えている。【選択図】図１
2006134791.tif 000002
【特許請求の範囲】
【請求項１】
透光部を有し、密閉されたランプ収容部と；
ランプ収容部に隣接して配置された点灯回路収容部と；
互いの間隔が３０ｍｍ以下になるようにそれぞれ配置された複数の発光管部を有し、ランプ収容部内に収容された冷陰極蛍光ランプと；
点灯回路収容部内に収容され、冷陰極蛍光ランプを点灯させる点灯回路と；
を具備していることを特徴とする照明器具。
【請求項２】
複数の発光管部は、それぞれ略平行に配置された直管部からなり、この直管部の長さは、３００ｍｍ以上１２００ｍｍ以下であることを特徴とする請求項１記載の照明器具。
【請求項３】
冷陰極蛍光ランプは、発光管部同士を繋ぐ屈曲部を備えていることを特徴とする請求項１又は２記載の照明器具。
【請求項４】
ランプ収容部は複数存在し、点灯回路収容部はランプ収容部間に配置されていることを特徴とする請求項１乃至３のいずれいか１項に記載の照明器具。
【請求項５】
交流電力を供給する電源供給部に電気的に接続可能であり、かつ交流−直流変換手段を備えた直流電源回路が設けられたアダプタをさらに備え、ランプ収容部および点灯回路収容部はこのアダプタに取付け可能であり、点灯回路は直流電源回路により得られた直流電力を高周波電力に変換するインバータ回路を備えていることを特徴とする請求項１乃至４のいずれか１項に記載の照明器具。
【発明の詳細な説明】
【技術分野】
【０００１】
本発明は、冷陰極蛍光ランプを備えた照明器具に関する。
【背景技術】
【０００２】
現在、住宅等に設置される照明器具の光源として、冷陰極蛍光ランプを使用することが注目されている（例えば、特許文献１，２参照）。冷陰極蛍光ランプの管径は一般的な蛍光ランプ（熱陰極蛍光ランプと称される。）よりも非常に細く、５ｍｍを下回るものが多いため、例えば厚みが５０ｍｍを下回るような非常に薄型の照明器具を得ることができる。従って、このような照明器具を天井面等に取付けて使用した場合には、圧迫感を大幅に低減させることができるという利点を有する。
【０００３】
さらに、照明器具の光源として、冷陰極蛍光ランプを使用するとともに、冷陰極蛍光ランプの長手方向に点灯回路を配置した技術が開示されている（例えば特許文献３参照）。このような照明器具によれば、点灯回路の厚みだけ、照明器具を薄くすることができるので、照明器具をより薄型化することができる。
【特許文献１】特開２００１−１４９０４号公報
【特許文献２】特開２００３−２９７１４１号公報
【特許文献３】特開２００４−１４９３０３号公報
【発明の開示】
【発明が解決しようとする課題】
【０００４】
ところで、蛍光ランプの光出力は、最冷部の温度に大きく依存することが知られている。一般的な熱陰極蛍光ランプの場合、光出力が最大となるのは最冷部の温度が４０〜５０℃程度のときであるが、管径が１０ｍｍ以下の冷陰極蛍光ランプの場合は、水銀蒸気圧によって紫外線が再吸収される確率が減少する分、蒸気圧を高くした方が紫外線出力が高くなるので、光出力が最大となるのは一般的に最冷部の温度が６０〜６５℃程度のときである。
【０００５】
しかしながら、冷陰極蛍光ランプの点灯時においては、最冷部は上記したような最適温度よりも低くなってしまうので、最大の光出力が得られ難い。本発明は、上記課題を解決するためになされたものである。即ち、光出力を向上させることができ、かつ薄型化された照明器具を提供することを目的とする。
【課題を解決するための手段】
【０００６】
請求項１記載の発明は、透光部を有し、密閉されたランプ収容部と；ランプ収容部に隣接して配置された点灯回路収容部と；互いの間隔が３０ｍｍ以下になるようにそれぞれ配置された複数の発光管部を有し、ランプ収容部内に収容された冷陰極蛍光ランプと；点灯回路収容部内に収容され、冷陰極蛍光ランプを点灯させる点灯回路と；を具備していることを特徴とする照明器具である。
【０００７】
「密閉されたランプ収容部」とは、収容部内が保温可能な程度に覆われていることを意味し、若干隙間が形成された構造も含むものである。点灯回路収容部はランプ収容部に隣接して配置されているが、ランプ収容部に隣接して配置されている場合としては、点灯回路収容部が、例えばランプ収容部の長手方向側に配置されている場合やランプ収容部の幅方向側に配置されている場合が挙げられる。
【０００８】
冷陰極蛍光ランプの管径は、１〜１０ｍｍ、最適には３〜５ｍｍである。この管径の冷陰極蛍光ランプであれば、発光管部の間隔を３０ｍｍ以下にしたときのランプ効率向上の効果が著しいためである。なお、間隔の下限は特に規定していないが、ランプ装着作業や透光部の輝度の最適化を考慮すると、５ｍｍを下限とすることが好ましい。
【０００９】
請求項１記載の発明によれば、発光管部間の間隔が３０ｍｍ以下となっているので、発光管部から発せられる熱で発光管部同士互いに保温することができる。また、ランプ収容部は密閉されているので、冷陰極蛍光ランプから発せられる熱によりランプ収容部内を適度に保温することができる。これにより、最冷部の温度低下を抑制することができ、冷陰極蛍光ランプの光出力を向上させることができる。また、ランプ収容部に隣接して点灯回路収容部が配置されているので、薄型化された照明器具を提供することができる。
【００１０】
請求項２記載の発明は、複数の発光管部が、それぞれ略平行に配置された直管部からなり、この直管部の長さが、３００ｍｍ以上１２００ｍｍ以下であることを特徴とする請求項１記載の照明器具である。
【００１１】
冷陰極蛍光ランプは複数の直管部を有しているが、ここで直管部を有する冷陰極蛍光ランプとは、全体形状が直管状の冷陰極蛍光ランプ、及び全体形状が直管状ではないが直管状の部分を有する冷陰極蛍光ランプを意味する。従って、複数の直管部を有するとは、全体形状が直管状の冷陰極蛍光ランプの場合には複数本の冷陰極蛍光ランプを意味し、また全体形状が直管状でない冷陰極蛍光ランプの場合には直管状の部分が複数存在することを意味するものとする。全体形状が直管状でない冷陰極蛍光ランプであって、複数の直管部を有する冷陰極蛍光ランプとしては、例えばＵ字状やＨ字状の冷陰極蛍光ランプが挙げられる。なお、全体形状が直管状でない場合には、冷陰極蛍光ランプは複数本に限らず、１本であってもよい。
【００１２】
直管部の長さを、３００ｍｍ以上１２００ｍｍ以下としたのは、直管部の長さが３００ｍｍ以上のランプはランプ中央部が冷陰極の熱影響を受け難いので、最冷部温度を最適化する必要があるからであり、また直管部の長さが１２００ｍｍを超えるとランプ電圧が上昇し、インバータが高価になるからである。
【００１３】
請求項２記載の発明によれば、発光効率が高く、かつ実用に適した冷陰極蛍光ランプを備えた照明器具を提供することができる。
【００１４】
請求項３記載の発明は、冷陰極蛍光ランプは、発光管部同士を繋ぐ屈曲部を備えていることを特徴とする請求項１又は２記載の照明器具である。屈曲部は１つに限らず複数あってもよい。請求項３記載の発明によれば、冷陰極蛍光ランプの電極を片側に配置させることができるため、冷陰極蛍光ランプの導入線の引き回しを低減させた照明器具を提供することができる。
【００１５】
請求項４記載の発明は、ランプ収容部は複数存在し、点灯回路収容部はランプ収容部間に配置されていることを特徴とする請求項１乃至３のいずれいか１項に記載の照明器具である。請求項４記載の発明によれば、良好な配光特性が得られる照明器具を提供することができる。
【００１６】
請求項５記載の発明は、交流電力を供給する電源供給部に電気的に接続可能であり、かつ交流−直流変換手段を備えた直流電源回路が設けられたアダプタをさらに備え、ランプ収容部および点灯回路収容部はこのアダプタに取付け可能であり、点灯回路は直流電源回路により得られた直流電力を高周波電力に変換するインバータ回路を備えていることを特徴とする請求項１乃至４のいずれか１項に記載の照明器具である。請求項５記載の発明によれば、交流−直流変換手段を備えた直流電源回路をアダプタに設けているので、コンパクトな照明器具を提供することができる。
【発明の効果】
【００１７】
請求項１記載の発明によれば、光出力を向上させることができ、かつ薄型化された照明器具を提供することができる。請求項２記載の発明によれば、発光効率が高く、かつ実用に適した冷陰極蛍光ランプを備えた照明器具を提供することができる。請求項３記載の発明によれば、冷陰極蛍光ランプの導入線の引き回しを低減させた照明器具を提供することができる。請求項４記載の発明によれば、良好な配光特性が得られる照明器具を提供することができる。請求項５記載の発明によれば、コンパクトな照明器具を提供することができる。
【発明を実施するための最良の形態】
【００１８】
以下、図面を参照して、本発明の実施の形態を説明する。ただし、図面は模式的なものであり、厚みと平面寸法との関係、各層の厚みの比率等は実際のものとは異なる。従って、具体的な厚みや寸法は以下の説明に示す内容が優先される。
【００１９】
（第１の実施の形態）
以下、第１の実施の形態について説明する。図１は本実施の形態に係る照明器具の平面図であり、図２は本実施の形態に係る照明器具の側面図であり、図３は本実施の形態に係るカバーを取り外した状態の照明器具の平面図である。
【００２０】
図１〜図３に示されるように、照明器具１は、密閉されたランプ収容部２と、ランプ収容部２に隣接して配置された点灯回路収容部３とを備えている。本実施の形態では、点灯回路収容部３は、ランプ収容部２の一方の端部に隣接している。
【００２１】
ランプ収容部２は、収容部本体２ａと、収容部本体２ａを覆う透光部としてのカバー２ｂ，２ｃとから構成されている。カバー２ｂは後述する冷陰極蛍光ランプ４の発光部を覆うものであり、例えばアクリル等の透光性材料から構成されている。また、カバー２ｂを透光性材料に乳白色塗装を施したもの等から構成してもよい。カバー２ｃは冷陰極蛍光ランプ４の非発光部である端部を覆うものであり、例えば遮光性材料等から構成されている。
【００２２】
点灯回路収容部３は、収容部本体２ａに対して隣接するように一体的に形成された収容部本体３ａと、収容部本体３ａを覆うカバー３ｂとから構成されている。カバー３ｂは主に後述する点灯回路６を覆うものであるが、本実施の形態では点灯回路６のみならず冷陰極蛍光ランプ４の他方の端部をも覆っている。カバー３ｂは、遮光性材料等から構成されている。なお、本実施の形態では、収容部本体２ａと収容部本体２ｂが一体的に形成されているが、それぞれ別々に形成されたものであってもよい。
【００２３】
ランプ収容部２内には、直管状の２本の冷陰極蛍光ランプ４が、直管部４ａ（発光管部）間の間隔ｄが３０ｍｍ以下となるように互いに平行に配置されている。なお、本実施の形態では、２本の冷陰極蛍光ランプ４が配置されているが、３本以上配置してもよい。この場合には、直管部４ａ間の間隔ｄがそれぞれ３０ｍｍ以下となるように互いに平行に配置する。また、直管状の冷陰極蛍光ランプ４の代わりに、例えばＵ字状等の直管部と屈曲部を有する冷陰極蛍光ランプを配置してもよい。この場合、直管部間の間隔が３０ｍｍ以下の冷陰極蛍光ランプを使用する。
【００２４】
なお、収容部本体２ａの冷陰極蛍光ランプ４間の部分には取付孔２ｄが形成されており、この取付孔２ｄを介して照明器具１を天井等の壁面に取付けるので、この取付作業を考慮すると、直管部４ａ間の間隔ｄは１０ｍｍ以上３０ｍｍ以下が好ましい。
【００２５】
冷陰極蛍光ランプ４は、両端部に電極４ｂが配置されている構造になっている。また、冷陰極蛍光ランプ４は、管径が１０ｍｍ以下、直管部４ａの長さが３００ｍｍ以上１２００ｍｍ以下となっている。ここで、直管部４ａの長さを３００ｍｍ以上としたのは、直管部４ａの長さが３００ｍｍ以上の場合、特に最冷部の温度低下が顕著であるとともに発光効率が高いからである。また、直管部４ａの長さが１２００ｍｍ以下としたのは、直管部４ａの長さが１２００ｍｍを超えると、一般的に普及している直管状の熱陰極ランプであるＦＬ４０よりも長くなり、実用的ではないからである。また、冷陰極蛍光ランプ４の管径が１０ｍｍ以下と細いため、極端に直管部４ａが長いと、輸送中などに割れるおそれがあるからである。さらに、ランプ電圧が非常に高くなるのと、インバータ回路が大形化するとともにコストも上昇するため好ましくはないからである。
【００２６】
冷陰極蛍光ランプ４は、ランプ収容部２内の所定の位置に固定されている。具体的には、冷陰極蛍光ランプ４の両端には冷陰極蛍光ランプ４を所定の位置に配置させるとともに冷陰極蛍光ランプ４の両端から引き出された導入線４ｃを絶縁するＬ字状の電気絶縁部材５（例えば口ゴム等）が取付けられている。一方、収容部本体２ａ，３ａには電気絶縁部材５の内側面に沿うようにガイド２ｅが形成されている。冷陰極蛍光ランプ４の両端に電気絶縁部材５を取付けた状態で、電気絶縁部材５をガイド２ｅに沿うように配置し、その状態でカバー２ｃ，３ｂを収容部本体２ａにネジ止めすることにより、冷陰極蛍光ランプ４がランプ収容部２の所定の位置に固定される。
【００２７】
点灯回路収容部３には、冷陰極蛍光ランプ４を点灯させる点灯回路６が収容されている。点灯回路６には、冷陰極蛍光ランプ４の導入線４ｃが電気的に接続されている。点灯回路６は、後述する直流電源回路９ａにより得られた直流電力を高周波電力に変換するインバータ回路（図示せず）を備えている。また、収容部本体３ａには、開口３ｃが形成されており、この開口３ｃを介して電源ケーブル７が点灯回路６に電気的に接続されている。この電源ケーブル７は、後述するアダプタ９と電気的に接続可能になっている。
【００２８】
照明器具１の具体的な寸法は、例えば、ランプ収容部２が幅５０ｍｍ、長さ５２０ｍｍ、厚さ２０ｍｍの大きさであり、点灯回路収容部３が幅５０ｍｍ、長さ６０ｍｍ、厚さ１８ｍｍの大きさである場合、ランプ収容部２には管径４．０ｍｍ、長さ５００ｍｍの直管状の２本の冷陰極蛍光ランプ４を間隔２５ｍｍで配置させることができ、また点灯回路収容部３には幅４０ｍｍ、長さ４０ｍｍ、厚さ１０ｍｍの点灯回路６を配置させることができる。なお、この場合、冷陰極蛍光ランプ４として、例えば、ランプ電流７ｍＡ、ランプ電力６Ｗであり、ランプ両端部の電圧が約９００Ｖのものを使用することができる。
【００２９】
このような照明器具１は、例えば以下のようにして使用される。図４は本実施の形態に係る照明器具１の電気的な接続状態を示す模式的なブロック図である。
【００３０】
図４に示されるように、天井等の壁面には、例えば引掛けシーリングのような電源供給部８が設置されている。なお、電源供給部８として、引掛けシーリングを使用した場合には、一般住宅にて配線を容易に行うことができる。
【００３１】
電源供給部８には、商用交流電力から直流電力を生成するための交流−直流変換手段としての交流−直流変換回路（例えばＡＣ−ＤＣコンバータ）を備えた直流電源回路９ａ、及び直流電源回路９ａにより生成された直流電力を昇圧するための昇圧回路９ｂを内蔵したアダプタ９が取付けられている。アダプタ９には、複数の照明器具１が電気的に接続されており、点灯回路６のインバータ回路には昇圧回路９ｂで昇圧された直流電力がそれぞれ入力される。
【００３２】
本実施の形態では、ランプ収容部２が密閉されており、かつ直管部４ａ間の間隔ｄが３０ｍｍ以下となっているので、冷陰極蛍光ランプ４の光出力を向上させることができる。即ち、直管状の冷陰極蛍光ランプ４の場合、最冷部は電極４ｂから最も離れた冷陰極蛍光ランプ４の中間部にそれぞれ形成されるが、直管部４ａ間の間隔ｄが３０ｍｍ以下となっているので、冷陰極蛍光ランプ４から発せられる熱で互いに保温される。また、ランプ収容部２は密閉されているので、冷陰極蛍光ランプ４から発せられる熱によりランプ収容部２内が適度に保温される。これにより、最冷部の温度低下を抑制することができ、冷陰極蛍光ランプ４の光出力を向上させることができる。
【００３３】
本実施の形態では、ランプ収容部２に点灯回路収容部３が隣接して配置されているので、薄型化された照明器具１を提供することができる。
【００３４】
本実施の形態では、アダプタ９に交流−直流変換回路を備えた直流電源回路９ａを内蔵させているので、コンパクトな照明器具１を提供することができる。即ち、照明器具１のそれぞれに直流電源回路９ａを内蔵させると、照明器具１が大型化してしまう。これに対し、照明器具１外に直流電源回路９ａを設けるとともに直流電源回路９ａを複数の照明器具１で共通化しているので、コンパクトな照明器具１を提供することができる。なお、同様の理由から本実施の形態のように昇圧回路９ｂもアダプタ９に内蔵させることが好ましいが、点灯回路６に昇圧回路９ｂを設けてもよい。
【００３５】
本実施の形態では、アダプタ９に交流−直流変換回路を備えた直流電源回路９ａを内蔵させているので、点灯回路６のインバータ回路として、汎用のインバータ回路を使用することができる。また、照明器具１を容易に追加することができる。
【００３６】
（第２の実施の形態）
以下、第２の実施の形態について説明する。本実施の形態では、冷陰極蛍光ランプとして、Ｕ字状のものを用いた例について説明する。図５は本実施の形態に係る照明器具の平面図であり、図６は本実施の形態に係る照明器具の側面図であり、図７は本実施の形態に係るカバーを取り外した状態の照明器具の平面図である。
【００３７】
図５〜図７に示されるように、２つのランプ収容部２が互いに平行となるように配置されている。ランプ収容部２間には、２つの点灯回路収容部３がランプ収容部２に隣接して配置されている。具体的には、ランプ収容部２の一方の端部付近に点灯回路収容部３が配置されており、ランプ収容部２の他方の端部付近に点灯回路収容部３が配置されている。
【００３８】
ランプ収容部２には、互いに平行に配置された２つの直管部１１ａ（発光管部）及び直管部１１ａ同士を繋ぐ屈曲部１１ｂを有するＵ字状の冷陰極蛍光ランプ１１がそれぞれ配置されている。冷陰極蛍光ランプ１１は、直管部１１ａ間の間隔ｄが３０ｍｍ以下となるように形成されている。なお、本実施の形態では、Ｕ字状の冷陰極蛍光ランプ１１がランプ収容部２内にそれぞれ配置されているが、第１の実施の形態と同様に直管状の冷陰極蛍光ランプ４をそれぞれ配置させてもよい。この場合、直管部４ａ間の間隔ｄが３０ｍｍ以下となるように互いに平行に配置する。
【００３９】
冷陰極蛍光ランプ１１の電極１１ｃは、ともに冷陰極蛍光ランプ１１の端部側に配置されている。冷陰極蛍光ランプ１１の導入線１１ｄは、それぞれ点灯回路６に電気的に接続されている。具体的には、一方の冷陰極蛍光ランプ１１の導入線１１ｄは一方の点灯回路６に接続されており、他方の冷陰極蛍光ランプ１１の導入線１１ｄは他方の点灯回路６に接続されている。ここで、導入線１１ｄは、短い方が高電位側で、長い方がアース電位側となっている。
【００４０】
ランプ収容部２のカバー２ｂは、収容部本体２ａの一方の端部から他方の端部まで収容部本体２ａを覆っているが、冷陰極蛍光ランプ１１の非発光部を覆っているカバー２ｂの部分２ｆ（以下、この部分を「非発光覆設部」という。）には、冷陰極蛍光ランプ１１の非発光部を外観上隠す或いはぼかすような処理が施されている。このような処理としては、例えば、非発光覆設部２ｆの透過率を冷陰極蛍光ランプの発光部を覆っているカバー２ｂの部分２ｇ（以下、この部分を「発光覆設部」という。）の透過率より低下させる処理、非発光覆設部２ｆの拡散性を向上させる処理、非透過処理等が挙げられる。非発光覆設部２ｆの透過率を低下させる処理としては、例えば発光覆設部２ｇにシルク印刷等が施されていない場合には非発光覆設部２ｆにシルク印刷等を施すような処理、或いはカバー２ｂの表面全体にシルク印刷等が施されている場合には発光覆設部２ｇより非発光覆設部２ｆのシルク印刷等の厚さを厚くする処理が挙げられる。非発光覆設部２ｆの拡散性を向上させる処理としては例えばプリズム形成処理やフロスト処理等が挙げられ、非透過処理としては例えば非発光覆設部２ｆを遮光する処理等が挙げられる。なお、冷陰極蛍光ランプ１１の非発光部とは、冷陰極蛍光ランプ１１の電極１１ｃの先端より端部側の部分若しは電気絶縁部材５の先端より端部側の部分を称する。非発光覆設部２ｆの内側には、金属板等の耐熱性を有する部品１２が配置されている。
【００４１】
照明器具１の具体的な寸法は、例えば、ランプ収容部２がそれぞれ幅５０ｍｍ、長さ５２０ｍｍ、厚さ２０ｍｍの大きさであり、点灯回路収容部３がそれぞれ幅５０ｍｍ、長さ６０ｍｍ、厚さ１８ｍｍの大きさである場合、ランプ収容部２には管径４．０ｍｍ、管長１０２０ｍｍ、直管部間隔２５ｍｍのＵ字状の冷陰極蛍光ランプ１１を配置させることができ、また点灯回路収容部３には幅４０ｍｍ、長さ４０ｍｍ、厚さ１０ｍｍの点灯回路６を配置させることができる。なお、この場合、冷陰極蛍光ランプ１１として、ランプ電流７ｍＡ、ランプ電力１０Ｗであり、ランプ両端部の電圧が約１８００Ｖのものを使用することができる。
【００４２】
本実施の形態では、ランプ収容部２が密閉されており、かつ直管部１１ａ間の間隔ｄが３０ｍｍ以下となっているので、冷陰極蛍光ランプ１１の光出力を向上させることができる。即ち、Ｕ字状の冷陰極蛍光ランプ１１の場合、最冷部は電極１１ｃから最も離れた屈曲部１１ｂに形成される。ここで、冷陰極蛍光ランプ１１間の間隔ｄが３０ｍｍ以下した場合には、直管部１１ａから発せられる熱で互いに保温されるので、屈曲部１１ｂに最冷部が形成された場合であっても、最冷部の温度低下を抑制することができると考えられる。これにより、冷陰極蛍光ランプ１１の光出力を向上させることができる。
【００４３】
本実施の形態では、冷陰極蛍光ランプ１１がＵ字状に形成されているので、冷陰極蛍光ランプ１１の電極１１ｃが片側に配置している。これにより、導入線１１ｄの引き回しを低減させた照明器具１を提供することができる。
【００４４】
本実施の形態では、点灯回路収容部３はランプ収容部２間に配置されているので、良好な配光特性が得られる照明器具１を提供することができる。
【００４５】
本実施の形態では、カバー２ｂが収容部本体２ａの一方の端部から他方の端部まで収容部本体２ａを覆っており、かつ非発光覆設部２ｆに冷陰極蛍光ランプ１１の非発光部を外観上隠す或いはぼかすような処理が施されているので、部品点数を低減させることができるとともに外観を向上させることができる。また、本実施の形態では、非発光覆設部２ｆの内側に耐熱性を有する部品１２が配置されているので、薄型化に伴うランプ点灯時のカバー２ｂの変形を抑制することができる。
【００４６】
（第３の実施の形態）
以下、第３の実施の形態について説明する。本実施の形態では、ランプ収容部の両端に点灯回路収容部が連設されている例について説明する。図８は本実施の形態に係る照明器具の平面図であり、図９は本実施の形態に係る照明器具の側面図であり、図１０は本実施の形態に係るカバーを取り外した状態の照明器具の平面図であり、図１１は本実施の形態に係る照明器具の設置状態を模式的に示した図である。
【００４７】
図８〜図１０に示されるように、ランプ収容部２の両端には点灯回路収容部３がそれぞれ連設されている。収容部本体２ａと収容部本体３ａとは一体的に形成されており、また、収容部本体２ａ，３ａはカバー１３により覆われている。カバー１３は、例えばアクリル等の透光性材料に乳白色塗装を施したもの等から構成されている。
【００４８】
ランプ収容部２には、直管状の８本の冷陰極蛍光ランプ４が、直管部４ａ間の間隔ｄがそれぞれ３０ｍｍ以下となるように互いに平行に配置されている。点灯回路収容部３には、２つずつ合計４つの点灯回路６が収容されている。冷陰極ランプ４の導入線４ｂは、２本の冷陰極ランプ４が１つの点灯回路６に対応するようにそれぞれ点灯回路６に電気的に接続されている。なお、点灯回路６の２次側の導入線６ｂは点灯回路６の１次側の導入線（図示せず）に比べて短くなるように設けられている。
【００４９】
このような照明器具１は、図１１に示されるように、吊り下げワイヤ１４で吊り下げられることにより天井等の壁面に設置される。なお、本実施の形態では、電源ケーブル７は照明器具１の裏面側から引き出されている。
【図面の簡単な説明】
【００５０】
【図１】第１の実施の形態に係る照明器具の平面図である。
【図２】第１の実施の形態に係る照明器具の側面図である。
【図３】第１の実施の形態に係るカバーを取り外した状態の照明器具の平面図である。
【図４】第１の実施の形態に係る照明器具の電気的な接続状態を示す模式的なブロック図である。
【図５】第２の実施の形態に係る照明器具の平面図である。
【図６】第２の実施の形態に係る照明器具の側面図である。
【図７】第２の実施の形態に係るカバーを取り外した状態の照明器具の平面図である。
【図８】第３の実施の形態に係る照明器具の平面図である。
【図９】第３の実施の形態に係る照明器具の側面図である。
【図１０】第３の実施の形態に係るカバーを取り外した状態の照明器具の平面図である。
【図１１】第３の実施の形態の照明器具の設置状態を模式的に示す図である。
【符号の説明】
【００５１】
１…照明器具、２…ランプ収容部、３…点灯回路収容部、４，１１…冷陰極蛍光ランプ、４ａ，１１ａ…直管部、９…アダプタ、９ａ…直流電源回路、１１ｂ…屈曲部。
【図１】
2006134791.tif 000003
【図２】
2006134791.tif 000004
【図３】
2006134791.tif 000005
【図４】
2006134791.tif 000006
【図５】
2006134791.tif 000007
【図６】
2006134791.tif 000008
【図７】
2006134791.tif 000009
【図８】
2006134791.tif 000010
【図９】
2006134791.tif 000011
【図１０】
2006134791.tif 000012
【図１１】
2006134791.tif 000013